(57)【要約】【課題】  金属板を用いて多数個のナット部材を所定の位置に環状に連結し得るにもかかわらず、従来必要とされていたボルト挿通用貫通孔の穿設作業やナット部材の連結作業を極力少なくして、製造工程の簡略化とコストダウンを図り得る免震装置設置用ユニットおよびそのユニットの取り付け方法と製造方法の提供。【解決手段】  免震装置固定用のボルト１２に螺合する多数個のナット部材１と、多数個のナット部材１を平面視において環状に連結してコンクリート製基礎台２の上面に配置される金属板３を備えた免震装置設置用ユニットにおいて、金属板３が、環状方向に複数に分割された金属板片３ａにより構成されているユニットとそのユニットの取り付け方法、および、基礎台が、プレキャストコンクリート製であるユニットとその製造方法。【選択図】        図１
2006083662.tif 000002
【特許請求の範囲】
【請求項１】
免震装置固定用のボルトに螺合する多数個のナット部材と、それら多数個のナット部材を平面視において環状に連結してコンクリート製基礎台の上面に配置される金属板を備え、前記多数個のナット部材が、その各雌ねじ部を前記金属板に穿設の貫通孔を介して前記基礎台の上面に開口させた状態で前記基礎台内に埋設されて使用される免震装置設置用ユニットであって、
前記金属板が、前記環状方向に複数に分割された金属板片により構成されて、各金属板片に対して複数個のナット部材が連結されている免震装置設置用ユニット。
【請求項２】
免震装置固定用のボルトに螺合する多数個のナット部材と、それら多数個のナット部材を平面視において環状に連結してコンクリート製基礎台の上面に配置される金属板を備え、前記多数個のナット部材が、その各雌ねじ部を前記金属板に穿設の貫通孔を介して前記基礎台の上面に開口させた状態で前記基礎台内に埋設されて使用される免震装置設置用ユニットであって、
前記基礎台が、プレキャストコンクリート製であり、前記金属板が、前記環状方向に複数に分割された金属板片により構成されて、各金属板片に対して複数個のナット部材が連結されている免震装置設置用ユニット。
【請求項３】
前記各金属板片が、ほぼ長方形の形状を有し、その長方形の長辺に沿って複数個のナット部材がほぼ一直線に配置されて連結されている請求項１または２に記載の免震装置設置用ユニット。
【請求項４】
前記長方形の各金属板片が、互いにほぼ直交するＸ軸とＹ軸にその長辺を沿わせて配置されている請求項３に記載の免震装置設置用ユニット。
【請求項５】
請求項１に記載の免震装置設置用ユニットを建物の基礎に取り付ける方法であって、前記複数に分割された各金属板片に開口する雌ねじ部内にそれぞれ挿入可能な位置決め用突起を備えて各金属板片間の相対的配置関係を規制する配置規制治具を使用し、前記ユニットの各金属板片を上方に位置させて建物の基礎上に配置するとともに、そのユニットの上方から前記配置規制治具の位置決め用突起を各金属板片の雌ねじ部内に挿入して各金属板片間の配置関係を規制した状態で、前記ユニットと基礎との間にコンクリートを打設して取り付ける免震装置設置用ユニットの取り付け方法。
【請求項６】
請求項２に記載の免震装置設置用ユニットの製造方法であって、前記複数に分割された各金属板片に開口する雌ねじ部内にそれぞれ挿入可能な位置決め用突起を備えて各金属板片間の相対的配置関係を規制する下型枠を使用し、前記ユニットの各金属板片を下方にして各金属板片の雌ねじ部を前記下型枠の位置決め用突起に外嵌して各金属板片間の配置関係を規制した状態で、前記ユニットと下型枠との間にコンクリートを打設して前記基礎台を作製して製造する免震装置設置用ユニットの製造方法。
【発明の詳細な説明】
【技術分野】
【０００１】
本発明は、免震装置固定用のボルトに螺合する多数個のナット部材と、それら多数個のナット部材を平面視において環状に連結してコンクリート製基礎台の上面に配置される金属板を備え、前記多数個のナット部材が、その各雌ねじ部を前記金属板に穿設の貫通孔を介して前記基礎台の上面に開口させた状態で前記基礎台内に埋設されて使用される免震装置設置用ユニットおよびそのユニットの取り付け方法と製造方法に関する。
【背景技術】
【０００２】
このような免震装置設置用ユニットは、例えば、建物の基礎上に設置するコンクリート製基礎台に多数個のナット部材を埋設し、その基礎台の上面に免震装置を載置して固定用のボルトにより基礎台に固定するもので、従来、ナット部材を環状に連結してコンクリート製基礎台の上面に配置される金属板が、１枚の金属板により構成されたものが広く知られている（例えば、特許文献１〜４参照）。
また、ナット部材を環状に連結する金属板が１枚の金属板により構成され、コンクリート製基礎台をプレキャストコンクリート製にして、そのプレキャストコンクリート製基礎台の上面に１枚の金属板を配置し、基礎台内に多数個のナット部材を埋設して予め工場などで作製するように構成したものも知られている（例えば、特許文献５参照）。
【０００３】
【特許文献１】特許第３２６１０２５号公報
【特許文献２】特開平１０−２４６０２８号公報
【特許文献３】特開平１１−５０６９４号公報
【特許文献４】特開２０００−２５７３０２号公報
【特許文献５】特開２００２−９７８１８号公報
【発明の開示】
【発明が解決しようとする課題】
【０００４】
これら特許文献に記載の従来技術では、いずれにせよ、ナット部材を環状に連結するための金属板が１枚の金属板により構成され、その下面側に多数個のナット部材が連結されていたので、使用する免震装置に応じて、その都度、金属板を準備し、かつ、その金属板にボルト挿通用の貫通孔を穿設したりナット部材を連結する作業などが必要となり、それが免震装置設置用ユニットやそのユニット取り付け作業のコストアップを招く一因となっていた。
すなわち、免震装置には多数の種類があり、各免震装置ごとにボルト挿通孔の数や配置が異なるため、使用する免震装置に応じて、適切な大きさの金属板を準備し、かつ、その金属板にそれぞれボルト挿通用貫通孔を穿設したりナット部材を連結する作業が必要となり、たとえ同じ建物であっても、設置する位置によって異なる免震装置を使用する場合もあり、そのような場合には、何種類かの金属板を作製しなければならず、この点に改良の余地があった。
【０００５】
本発明は、このような従来の問題点に着目したもので、その目的は、金属板を用いて多数個のナット部材を所定の位置に環状に連結し得るにもかかわらず、従来必要とされていたボルト挿通用貫通孔の穿設作業やナット部材の連結作業を極力少なくして、製造工程の簡略化とコストダウンを図り得る免震装置設置用ユニットおよびそのユニットの取り付け方法と製造方法の提供にある。
【課題を解決するための手段】
【０００６】
本発明の第１の特徴構成は、免震装置固定用のボルトに螺合する多数個のナット部材と、それら多数個のナット部材を平面視において環状に連結してコンクリート製基礎台の上面に配置される金属板を備え、前記多数個のナット部材が、その各雌ねじ部を前記金属板に穿設の貫通孔を介して前記基礎台の上面に開口させた状態で前記基礎台内に埋設されて使用される免震装置設置用ユニットであって、前記金属板が、前記環状方向に複数に分割された金属板片により構成されて、各金属板片に対して複数個のナット部材が連結されているところにある。
【０００７】
本発明の第１の特徴構成によれば、免震装置固定用のボルトに螺合する多数個のナット部材を平面視において環状に連結する金属板が、その環状方向に複数に分割された金属板片により構成されて、各金属板片に対して複数個のナット部材が連結されているので、使用する免震装置に応じて、各金属板片の配置関係を適宜設定することによって、ある程度異なる免震装置に対して対応することができる。
したがって、このような免震装置設置用ユニットを予め量産し、場合によっては、サイズの異なる２〜３種類のユニットを予め量産しておいて、使用する免震装置に対応することが可能となり、製造工程を簡略化して免震装置設置用ユニットを比較的安価に提供することができる。
【０００８】
本発明の第２の特徴構成は、免震装置固定用のボルトに螺合する多数個のナット部材と、それら多数個のナット部材を平面視において環状に連結してコンクリート製基礎台の上面に配置される金属板を備え、前記多数個のナット部材が、その各雌ねじ部を前記金属板に穿設の貫通孔を介して前記基礎台の上面に開口させた状態で前記基礎台内に埋設されて使用される免震装置設置用ユニットであって、前記基礎台が、プレキャストコンクリート製であり、前記金属板が、前記環状方向に複数に分割された金属板片により構成されて、各金属板片に対して複数個のナット部材が連結されているところにある。
【０００９】
本発明の第２の特徴構成によれば、免震装置固定用のボルトに螺合する多数個のナット部材を平面視において環状に連結する金属板が、その環状方向に複数に分割された金属板片により構成されて、各金属板片に対して複数個のナット部材が連結されているので、上述したように、免震装置設置用ユニットを予め量産しておいて、使用する免震装置に応じて、各金属板片の配置関係を適宜設定して使用することができ、免震装置設置用ユニットを比較的安価に提供することができる。
そして、その多数個のナット部材を埋設するコンクリート製基礎台が、プレキャストコンクリート製であり、その基礎台内に予め多数個のナット部材が埋設されているので、免震装置を取り付ける作業現場において、コンクリートを打設して基礎台を作製する必要もなく、免震装置の取り付け作業を比較的短時間のうちに容易に行うことができる。
【００１０】
本発明の第３の特徴構成は、上述した免震装置設置用ユニットにおいて、前記各金属板片が、ほぼ長方形の形状を有し、その長方形の長辺に沿って複数個のナット部材がほぼ一直線に配置されて連結されているところにある。
【００１１】
本発明の第３の特徴構成によれば、各金属板片が、ほぼ長方形の形状を有し、その長方形の長辺に沿って複数個のナット部材がほぼ一直線に配置されて連結されているので、例えば、円弧形状の金属板片に比べて作製が容易で、しかも、汎用性も高い。
【００１２】
本発明の第４の特徴構成は、上述した免震装置設置用ユニットにおいて、前記長方形の各金属板片が、互いにほぼ直交するＸ軸とＹ軸にその長辺を沿わせて配置されているところにある。
【００１３】
本発明の第４の特徴構成によれば、長方形の各金属板片が、互いにほぼ直交するＸ軸とＹ軸にその長辺を沿わせて配置されているので、基礎台を現場でコンクリート打ちする場合も、工場などにおいて予め作製する場合においても、コンクリート内に埋設する鉄筋とナット部材との干渉を回避するのが容易となる。
すなわち、鉄筋は通常互いにほぼ直交する方向に配筋されるため、その鉄筋の配筋方向をＸ軸およびＹ軸として、長方形の金属板片をＸ軸およびＹ軸に沿って配置することにより、各金属板片に連結されたナット部材が鉄筋と干渉することが抑制されるので、ナット部材の配置が容易となる。
【００１４】
本発明の第５の特徴構成は、上述した第１の特徴構成による免震装置設置用ユニットを建物の基礎に取り付ける方法であって、前記複数に分割された各金属板片に開口する雌ねじ部内にそれぞれ挿入可能な位置決め用突起を備えて各金属板片間の相対的配置関係を規制する配置規制治具を使用し、前記ユニットの各金属板片を上方に位置させて建物の基礎上に配置するとともに、そのユニットの上方から前記配置規制治具の位置決め用突起を各金属板片の雌ねじ部内に挿入して各金属板片間の配置関係を規制した状態で、前記ユニットと基礎との間にコンクリートを打設して取り付けるところにある。
【００１５】
本発明の第５の特徴構成によれば、複数に分割された各金属板片に開口する雌ねじ部内にそれぞれ挿入可能な位置決め用突起を備えて各金属板片間の相対的配置関係を規制する配置規制治具を使用し、ユニットの各金属板片を上方に位置させて建物の基礎上に配置するとともに、そのユニットの上方から配置規制治具の位置決め用突起を各金属板片の雌ねじ部内に挿入して各金属板片間の配置関係を規制した状態で、ユニットと基礎との間にコンクリートを打設して取り付けるので、多数のナット部材を連結する金属板が、上述したように、複数に分割された金属板片により構成されるにもかかわらず、各金属板片間の相対的配置を所望する配置関係に確実に保持して免震装置設置用ユニットを取り付けることができる。
【００１６】
本発明の第６の特徴構成は、上述した第２の特徴構成による免震装置設置用ユニットの製造方法であって、前記複数に分割された各金属板片に開口する雌ねじ部内にそれぞれ挿入可能な位置決め用突起を備えて各金属板片間の相対的配置関係を規制する下型枠を使用し、前記ユニットの各金属板片を下方にして各金属板片の雌ねじ部を前記下型枠の位置決め用突起に外嵌して各金属板片間の配置関係を規制した状態で、前記ユニットと下型枠との間にコンクリートを打設して前記基礎台を作製して製造するところにある。
【００１７】
本発明の第６の特徴構成によれば、複数に分割された各金属板片に開口する雌ねじ部内にそれぞれ挿入可能な位置決め用突起を備えて各金属板片間の相対的配置関係を規制する下型枠を使用し、ユニットの各金属板片を下方にして各金属板片の雌ねじ部を下型枠の位置決め用突起に外嵌して各金属板片間の配置関係を規制した状態で、ユニットと下型枠との間にコンクリートを打設して基礎台を作製して製造するので、多数のナット部材を連結する金属板が、上述したように、複数に分割された金属板片により構成されるにもかかわらず、各金属板片間の相対的配置を所望する配置関係に確実に保持してプレキャストコンクリート製の基礎台を備えた免震装置設置用ユニットを製造することができる。
【発明を実施するための最良の形態】
【００１８】
本発明による免震装置設置用ユニットおよびそのユニットの取り付け方法と製造方法につき、その実施の形態を図面に基づいて説明する。
第１の実施形態においては、図２および図３に示すように、免震装置設置用ユニットが、免震装置固定用のボルトに螺合する多数個のナット部材１と、それら多数個のナット部材１を平面視において正方形の環状に連結してコンクリート製基礎台２の上面に配置される金属板３を備え、その金属板３が、平面視において多数個のナット部材１の環状方向に複数に分割された金属板片３ａ、この実施形態では４枚の金属板片３ａにより構成されている。
ナット部材１は、その雌ねじ部４が一端方向にのみ開口する金属製の袋ナットで構成され、雌ねじ部４の開口側を上にして各金属板片３ａの裏面に複数個ずつ、この実施形態では３個ずつ連結固定され、各ナット部材１の雌ねじ部４が、金属板片３ａに穿設のボルト挿通用の貫通孔３ｂを介して金属板３ａの上面に開口されている。
【００１９】
各金属板片３ａは、例えば、市販のフラットバーを適宜の長さに切断して形成され、したがって、ほぼ長方形の形状を有していて、その長方形の長辺に沿って、かつ、幅方向のほぼ中央に位置する状態で、それぞれ３個のナット部材１がほぼ一直線になるように配置されて連結されている。
そして、ナット部材１を構成する袋ナットの底部には、袋ナットの雌ねじ部４とは別の雌ねじ部５が、袋ナットの雌ねじ部４とほぼ同心状に設けられ、その雌ねじ部５に対して頭付きボルト６が、その頭部６ａを下にして螺合するように構成されている。
【００２０】
つぎに、この第１の実施形態による免震装置設置用ユニットを建物の基礎に取り付ける取り付け方法について説明する。
建物の基礎を打設する際、図４に示すように、免震装置を設置する箇所に基礎Ｂから上方へ突出するように鉄筋７を配筋しておき、その設置箇所に免震装置設置用ユニットを載置した後、各金属板片３ａ間の相対的配置を位置決めする。
この金属板片３ａの位置決めには、例えば、図５に示すように、ほぼ正方形の環状の板体８とその板体８から突設された多数の位置決め用突起９、この実施形態では８個の位置決め用突起９を備えた配置規制治具１０が使用される。
【００２１】
配置規制治具１０の位置決め用突起９は、正方形の板体８の各辺に２個ずつ設けられ、その各辺の２個の突起９が、各金属板片３ａに連結された３個のナット部材１のうち、両端に位置するナット部材１に対応する位置に設けられ、さらに、その対応状態において、合計１２個のナット部材１が、使用する免震装置のボルト挿通孔に対応するように設定されている。
したがって、図６に示すように、免震装置設置用ユニットの各金属板片３ａを上方に位置させ、各金属板片３ａにおける頭付きボルト６のうち、例えば、１〜２本の頭付きボルト６を緩めて、その頭部６ａが建物の基礎Ｂの上面に当接するように下方へ突出させて各金属板片３ａの高さを所定の高さに調整しながら、ユニットの上方から配置規制治具１０の位置決め用突起９をナット部材１の雌ねじ部４内に挿入することにより、各ナット部材１が免震装置のボルト挿通孔に対応するように位置決めされる。
【００２２】
このようにして位置決めした状態において、図２に示すように、互いに対向する２枚の金属板片３ａは、その長辺がＸ軸に沿って平行になるように配置され、他の２枚の金属板片３ａは、Ｘ軸にほぼ直交するＹ軸に沿って平行になるように配置され、その結果、合計１２個のナット部材１および頭付きボルト６は、互いにほぼ直交するＸ軸とＹ軸に沿って配置される。
その後、鉄筋７を配筋することになるが、鉄筋７をＸ軸とＹ軸に沿わせて配筋することにより、鉄筋７とナット部材１および頭付きボルト６との干渉を回避して、鉄筋７を容易に配筋することができ、さらに、型枠を組んで、図７に示すように、各金属板片３ａの上面とほぼ面一になるようにコンクリートを打設し、鉄筋コンクリート製の基礎台２を作製して取り付ける。
基礎台２のコンクリートが固化した後、図１に示すように、その基礎台２上に免震装置１１を載置し、免震装置１１の下方取り付け板１１ａのボルト挿通孔に免震装置固定用のボルト１２を挿通し、基礎台２の上面に開口している各ナット部材１の雌ねじ部４にそのボルト１２を螺合するとともに、取り付け板１１ａと基礎台２の間に無収縮モルタルＭを充填してボルト１２を締め付け、免震装置１１を基礎台２上に設置するのである。
【００２３】
第２の実施形態においては、図１０に示すように、免震装置設置用ユニットが、免震装置固定用のボルトに螺合する多数個のナット部材１と、それら多数個のナット部材１を平面視において環状に連結する金属板３と、多数個のナット部材１を埋設するプレキャストコンクリート製の基礎台１３により構成されている。
そして、ナット部材１を連結する金属板３は、第１の実施形態と同様に、例えば、図８を参照して、平面視において多数個のナット部材１の環状方向に複数に分割された金属板片３ａ、この実施形態でも４枚の金属板片３ａにより構成されて、プレキャストコンクリート製基礎台１３の上面に配置されている。
【００２４】
ナット部材１も、第１の実施形態と同様に、金属製の袋ナットで構成され、雌ねじ部４の開口側を上にして各金属板片３ａの裏面に３個ずつ連結固定され、各ナット部材１の雌ねじ部４が、金属板片３ａに穿設のボルト挿通用の貫通孔３ｂを介して金属板３ａの上面に開口され、その袋ナットの底部には、袋ナットの雌ねじ部４とほぼ同心状に設けられた雌ねじ部５に対して頭付きボルト６が、その頭部６ａを下にして螺合するように構成されている。
また、各金属板片３ａも、第１の実施形態と同様で、例えば、市販のフラットバーを適宜の長さに切断して形成され、その長方形の長辺に沿って、かつ、幅方向のほぼ中央に位置する状態で、それぞれ３個のナット部材１がほぼ一直線になるように配置されて連結されている。
【００２５】
つぎに、第２の実施形態による免震装置設置用ユニットの製造方法について説明する。
この免震装置設置用ユニットを製造するには、図８および図９に示すように、例えば、合計８個の位置決め用突起１４を備えた下型枠１５が使用される。
下型枠１５の位置決め用突起１４は、正方形の環状になるように各辺に２個ずつ設けられ、その各辺の２個の突起１４が、各金属板片３ａに連結された３個のナット部材１のうち、両端に位置するナット部材１に対応する位置に設けられ、さらに、その対応状態において、合計１２個のナット部材１が、使用する免震装置のボルト挿通孔に対応するように設定されている。
【００２６】
したがって、この下型枠１５の上方から各金属板片３ａを下方にして、つまり、ナット部材１の雌ねじ部４が下方を向いて開口するように上下逆にして、各金属板片３ａの雌ねじ部４を位置決め用突起１４に外嵌することにより、各ナット部材１が免震装置のボルト挿通孔に対応するように位置決めされる
このようにして位置決めした状態において、第１の実施形態において図２を参照して説明したように、互いに対向する２枚の金属板片３ａは、その長辺がＸ軸に沿って平行になるように配置され、他の２枚の金属板片３ａは、Ｘ軸にほぼ直交するＹ軸に沿って平行になるように配置され、その結果、合計１２個のナット部材１および頭付きボルト６は、互いにほぼ直交するＸ軸とＹ軸に沿って配置される。
【００２７】
その後、図９に示すように、下型枠１５の上方に鉄筋７を配筋することになるが、鉄筋７をＸ軸とＹ軸に沿わせて配筋することにより、鉄筋７とナット部材１および頭付きボルト６との干渉を回避して、鉄筋７を容易に配筋することができ、さらに、下型枠１５の上に必要な型枠を組んで、各ナット部材１の上面とほぼ面一になるようにコンクリートを打設し、プレキャストコンクリート製の基礎台１３を作製して免震装置設置用ユニットを製造するのである。
このようにして製造された免震装置設置用ユニットは、ナット部材１がプレキャストコンクリート製基礎台１３内に埋設され、各ナット部材１の雌ねじ部４が、基礎台１３の上面に配置された金属板片３ａに開口し、かつ、頭付きボルト６が、その頭部６ａを下にして基礎台１３の下面から突出した構成となる。
【００２８】
この第２の実施形態による免震装置設置用ユニットを建物の基礎に取り付けるには、図１１に示すように、基礎Ｂの上方へ鉄筋１６を配筋して、免震装置設置用ユニットを載置する。その際、多数の頭付きボルト６のうち、例えば、４本の頭付きボルト６を緩めて、その頭部６ａが基礎Ｂの上面に当接するように下方へ突出させ、さらに、４本の頭付きボルト６の突出量を調整して、基礎台１３の上面の高さを所定の高さに調整する。
つぎに、型枠を組んで、基礎Ｂと基礎台１３の間にコンクリートを打設し、コンクリートが固化した後、コンクリートと基礎台１３の間に無収縮モルタルＭを充填し、基礎台１３の上に免震装置１１を載置する。そして、免震装置１１の取り付け板１１ａのボルト挿通孔に免震装置固定用のボルト１２を挿通し、基礎台１３の上面に開口している各ナット部材１の雌ねじ部４にそのボルト１２を螺合して締め付け、免震装置１１をプレキャスト製基礎台１３上に設置するのである。
【００２９】
〔別実施形態〕
（１）先の実施形態では、金属板片３ａを長方形に形成した例を示したが、金属板片３ａの形状は長方形に限るものではなく、例えば、円弧状などに形成することもできる。
また、その金属板片３ａに３個のナット部材１を連結した例を示したが、金属板片３ａに連結するナット部材１の数は任意であり、さらに、そのナット部材１も、必ずしも袋ナットである必要はない。
【００３０】
（２）先の実施形態では、免震装置設置用ユニットに４枚の金属板片３ａを設けた例を示したが、免震装置設置用ユニットに設ける金属板片３ａの数は、使用する免震装置の大きさなどにより任意に設定することができ、その金属板片３ａの枚数や金属板片３ａに連結するナット部材１の数に応じて、配置規制治具１０の位置決め用突起９の数や下型枠１５の位置決め用突起１４の数も適宜設定される。
【図面の簡単な説明】
【００３１】
【図１】第１の実施形態による免震装置設置用ユニットを使用して免震装置を取り付けた状態を示す一部切欠き正面図
【図２】第１の実施形態による免震装置設置用ユニットの平面図
【図３】第１の実施形態による免震装置設置用ユニットの一部切欠き正面図
【図４】第１の実施形態による免震装置設置用ユニットの取り付け状態を示す正面図
【図５】第１の実施形態による免震装置設置用ユニットの取り付け状態を示す斜視図
【図６】第１の実施形態による免震装置設置用ユニットの取り付け状態を示す一部切欠き正面図
【図７】第１の実施形態による免震装置設置用ユニットの取り付け状態を示す正面図
【図８】第２の実施形態による免震装置設置用ユニットの製造工程を示す斜視図
【図９】第２の実施形態による免震装置設置用ユニットの製造工程を示す正面図
【図１０】第２の実施形態による免震装置設置用ユニットの正面図
【図１１】第２の実施形態による免震装置設置用ユニットを使用して免震装置を取り付けた状態を示す一部切欠き正面図
【符号の説明】
【００３２】
１      ナット部材
２      コンクリート製基礎台
３      金属板
３ａ    金属板を構成する金属板片
３ｂ    金属板片に穿設の貫通孔
４      ナット部材の雌ねじ部
９      配置規制治具の位置決め用突起
１０    配置規制治具
１１    免震装置
１２    免震装置固定用のボルト
１３    プレキャストコンクリート製の基礎台
１４    下型枠の位置決め用突起
１５    下型枠
Ｂ      基礎
【図１】
2006083662.tif 000003
【図２】
2006083662.tif 000004
【図３】
2006083662.tif 000005
【図４】
2006083662.tif 000006
【図５】
2006083662.tif 000007
【図６】
2006083662.tif 000008
【図７】
2006083662.tif 000009
【図８】
2006083662.tif 000010
【図９】
2006083662.tif 000011
【図１０】
2006083662.tif 000012
【図１１】
2006083662.tif 000013